(57)【特許請求の範囲】
【請求項１】
搬送装置の搬出端下方に、基端部が水平軸支された複数のロッドが所定間隔を隔ててそれぞれ別個独立した状態で回動自在に並列配置されるとともに、各ロッドは、当該ロッドに対応して設けられた弾機の各々によりぞれぞれ別個独立した状態で上向きに回動付勢されて、所定の下り傾斜位置と略垂直位置との間で回動可能に設けられ、前記ロッドの下方にびん・カレット受部が配置されるとともに、該ロッドの先端前方に可燃ごみ受部が配置されたことを特徴とするごみ選別装置。
【請求項２】
前記ロッドの近傍に、下方からこのロッドに向けて気体を送風する送風装置が設けられた請求項１記載のごみ選別装置。
【請求項３】
搬送装置の搬出端下方にシュートが配置され、該シュートの底面の幅方向中央部に切欠部が長手方向に亘って形成され、該切欠部に、弾性を有し所定幅に形成された左右一対のゴム板を、その隣接する一端同士間の間隙が切欠部の長手方向に延びるように設け、前記シュートの底面下方にびん・カレット受部が配置されるとともに、シュートの下端前方に可燃ごみ受部が配置されたことを特徴とするごみ選別装置。
【発明の詳細な説明】
【０００１】
【発明の属する技術分野】
本発明は、多少の可燃ごみを含むびん・カレット等の不燃ごみから、可燃ごみと不燃ごみとを細選別するごみ選別装置に関するものである。
【０００２】
【従来の技術】
従来、特開平８−１９２１１２号公報記載のものに見られるように、いわゆる袋ごみの状態で収集されたごみを、破袋装置や各選別装置により、鉄缶等の鉄類、アルミ缶等のアルミ類などの不燃ごみと、可燃ごみとに選別処理するごみ選別装置が提供されており、このごみ選別装置では風力選別やふるい選別などにより不燃ごみと可燃ごみとを選別していた。
【０００３】
【発明が解決しようとする課題】
しかしながら、上記従来の選別装置は、不燃ごみと可燃ごみとを大まかに選別するものであり、このため上記ごみ選別装置で選別した不燃ごみには、少量の可燃ごみが混入しているのが現状であり、特に上記不燃ごみの中からさらに、鉄類と、アルミ類と、びんやカレットとに精度の良い選別を行うためには、不燃ごみに混入している可燃ごみをさらに、しかも精度よく取り除く必要があった。
【０００４】
【課題を解決するための手段】
請求項１に係る発明のごみ選別装置は、搬送装置の搬出端下方に、基端部が水平軸支された複数のロッドが所定間隔を隔ててそれぞれ別個独立した状態で回動自在に並列配置されるとともに、各ロッドは、当該ロッドに対応して設けられた弾機の各々によりぞれぞれ別個独立した状態で上向きに回動付勢されて、所定の下り傾斜位置と略垂直位置との間で回動可能に設けられ、前記ロッドの下方にびん・カレット受部が配置されるとともに、該ロッドの先端前方に可燃ごみ受部が配置されたものである。
【０００５】
請求項２に係る発明のごみ選別装置は、前記ロッドの近傍に、下方からこのロッドに向けて気体を送風する送風装置が設けられたものである。
【０００６】
請求項３に係る発明のごみ選別装置は、搬送装置の搬出端下方にシュートが配置され、該シュートの底面の幅方向中央部に切欠部が長手方向に亘って形成され、該切欠部に、弾性を有し所定幅に形成された左右一対のゴム板を、その隣接する一端同士間の間隙が切欠部の長手方向に延びるように設け、前記シュートの底面下方にびん・カレット受部が配置されるとともに、シュートの下端前方に可燃ごみ受部が配置されたものである。
【００１０】
【発明の実施の形態】
以下、本発明の実施の形態を図面を参照して説明する。
【００１１】
図３は、本発明のごみ選別装置を備えたごみ選別処理場における選別処理システム全体の概略構成を示している。
【００１２】
図３において、１は、粗選別装置で、この粗選別装置には、例えば家庭等から収集したごみが搬入される。このごみは、各種のごみをまとめて大袋に収容した状態で投入されるいわゆる袋ごみである。
【００１３】
前記粗選別装置１は、上記袋ごみを破袋して袋内のごみを取り出し、この取り出したごみを可燃ごみと不燃ごみとに粗選別するものである。
【００１４】
この粗選別装置１は、例えば、風力選別により重いごみと軽いごみとを選別し、軽いごみを弁当箱、紙等の可燃ごみとみなし、重いごみを鉄缶、アルミ缶、びん等の不燃ごみとみなして選別を行う。
【００１５】
２は、磁選機で、上記選別された不燃ごみから鉄缶等の鉄類を選別する。この磁選機２は、第１搬送コンベア３の搬送面の上方に配置されており、当該磁選機２で選別された鉄類は、第２搬送コンベア４を経て鉄缶プレス装置５で圧縮処理された後、トラック等の輸送手段により缶再生工場等に適宜に輸送される。
【００１６】
６はアルミ選別機で、前記第１搬送コンベア３の搬出端近傍に設けられ、前記磁選機２で選別された鉄類以外の不燃ごみからアルミ缶等のアルミ類を選別する。このアルミ選別機６で選別されたアルミ缶等のアルミ類は、第３搬送コンベア７を経てアルミ缶プレス装置８で圧縮処理された後、トラック等の輸送手段により缶再生工場等に適宜に輸送される。
【００１７】
このアルミ選別機６で選別されたアルミ類以外の不燃ごみは、第４搬送コンベア１０を経て後述するごみ選別装置９に搬入される。
【００１８】
９は、ごみ選別装置で、第４搬送コンベア１０の搬出端に設けられ、このごみ選別装置９により前記アルミ選別機６で選別されたアルミ類以外の不燃ごみを、びん、カレット等の不燃ごみと、これら不燃ごみに混入しているその他の可燃ごみとに細選別する。ごみ選別装置９の具体的構成については後で述べる。
【００１９】
このごみ選別装置９で選別されたびん、カレット等の不燃ごみは、残渣ごみとしてトラック等の輸送手段により埋立場等に適宜に輸送される。
【００２０】
また、ごみ選別装置９で選別された可燃ごみは、前記粗選別装置１で選別された可燃ごみとともに、第５搬送コンベア１１を経てごみ貯留排出機１２に搬送され、このごみ貯留排出機１２で一旦貯留された後、順次トラック等の輸送手段に排出され、焼却場等に適宜に輸送される。
【００２１】
図１は、前述したごみ選別装置９の具体的構成、詳しくは、請求項１又は２記載のごみ選別装置９の構成を示している。
【００２２】
ごみ選別装置９は、前記第４搬送コンベア１０の搬出端下方に配置された複数のロッド２０を備えてなるものである。
【００２３】
ロッド２０は、図２に示すように、複数のロッド２０が所定間隔を隔てて配置されており、これらロッド２０の基端部が前記第４搬送コンベア１０の搬出端下方に水平軸２０ａにより上下方向にそれぞれ別個独立した状態で回動自在に支持されている。
【００２４】
これらロッド２０は、先端部にかけて図１に示すように下方に所定の傾斜した状態で配置されるとともに、それぞれの基端部には、弾機としてのスプリング２１が介装され、このスプリング２１の付勢力により、図１に実線で示す上述の傾斜位置と二点鎖線で示す垂直位置との間でそれぞれ別個独立した状態で回動自在に支持されている。前記弾機としてはスプリング２１の他に板バネなどの弾発部材を用いてもよい。
【００２５】
そして、前記ロッド２０及び前記第４搬送コンベア１０の搬出端は前記第５搬送コンベア１１の搬入端上方に設けられたホッパ２２内に配置されており、ロッド２０は、ホッパ２２の下部傾斜面に形成された排出口２３に配置されている。
【００２６】
また、前記排出口２３を介してロッド２０と対峙するホッパ２２の外側には空気を噴射するための送風装置２４が配置されており、この送風装置２４によりロッド２０の下方からホッパ２２内に向かって空気を噴射するように構成されている。
【００２７】
そして、ロッド２０の下方には、びん・カレット受部としてのびん・カレット回収箱２５が配置され、前記ホッパ２２の下部が可燃ごみ受部になされている。
【００２８】
このように構成されたごみ選別装置９は、アルミ選別機６で選別されたアルミ類以外のびんやカレットなどが第４搬送コンベア１０を経てロッド２０上に投下され、びんやカレットなどの重いものがロッド２０の間からもしくはびんがロッド２０上に投下された場合には、各ロッド２０がびんの重みによりスプリング２１の付勢力に抗して下方の垂直位置側に回動されることで、排出口２３を経てこの直下のびん・カレット回収箱２５に投下される。
【００２９】
また、びんやカレットに混入している軽くて比較的大きな可燃ごみはロッド２０上に引っ掛かるともに、送風装置２４からの空気の噴射によりホッパ２２の内側に飛ばされ、このホッパ２２の下部から第５搬送コンベア１１の搬入端上に搬入される。
【００３０】
この際、可燃ごみは軽いためロッド２０がスプリング２１の付勢力に抗して下方に回動することがなく、上記送風装置２４の作用と相まって上記可燃ごみが排出口２３を経てびん・カレット回収箱２５に投下されることはない。つまり、びんやカレットなどの不燃ごみに可燃ごみが混入することがなく、これら不燃ごみと可燃ごみとを確実に選別することができる。
【００３１】
また、ロッド２０の間隔よりも小さい可燃ごみでも送風装置２４からの空気の噴射によりロッド２０の下方への落下を阻止してホッパ２２の内側に飛ばすため、これら可燃ごみがびん・カレット回収箱２５に投下されることがない。
【００３２】
次に、前述のように構成されたごみ選別装置を備えた選別処理システム全体の処理動作について簡単に説明する。
【００３３】
家庭等から出された袋ごみは、ごみ収集車等に収容され、ごみ処理場等に設置された選別処理システムの粗選別装置１に袋ごみの状態のままで搬入される。
【００３４】
粗選別装置１では、袋ごみを破袋して大袋内のごみを取り出し、風力選別もしくはふるい選別などにより可燃ごみと不燃ごみとに選別し、可燃ごみはそのまま第５搬送コンベア１１によりごみ貯留排出機１２に搬送されるとともに、不燃ごみは第１搬送コンベア３で磁選機２に搬送される。
【００３５】
磁選機２では、これら不燃ごみから鉄缶等の鉄類を選別し、この鉄類は第２搬送コンベア４により鉄缶プレス装置５に搬送され、該鉄缶プレス装置５で圧縮処理された後、順次トラック等の輸送手段に排出される。
【００３６】
一方、上記磁選機２を通過した残りの不燃ごみは、第１搬送コンベア３上においてアルミ選別機６に搬送され、このアルミ選別機６ではアルミ缶等のアルミ類を選別し、アルミ類は第３搬送コンベア７を経てアルミ缶プレス装置８に搬入されて圧縮処理された後、順次トラック等の輸送手段に排出される。
【００３７】
さらに、上記アルミ選別機６で選別されたアルミ類以外のびん、カレット等の不燃ごみ（多少の可燃ごみが混入している。）は、前記第１搬送コンベア３から第４搬送コンベア１０を経てごみ選別装置９に搬入され、ごみ選別装置９によりびんやカレット等の不燃ごみをびん・カレット回収箱２５に回収するとともに、これらびんやカレット等に混入していた可燃ごみを前記第５搬送コンベア１１上に搬入し、この第５搬送コンベア１１により前記粗選別装置１で選別した可燃ごみとともにごみ貯留排出機１２に搬入して貯留した後、ごみ貯留排出機１２から順次排出される。
【００３８】
図４は、ごみ選別装置９の構成を示している。
【００３９】
ごみ選別装置９は、第４搬送コンベア１０の搬出端（他端）側が所定の傾斜角を以て上方に傾斜した状態で配置され、この第４搬送コンベア１０の下り側一端下方にびんを回収するびん受部としてのびん回収箱３０が配設されるとともに、第４搬送コンベア１０の搬出端下方にカレットを回収するカレット受部としてのカレット回収箱３１が配置されている。
【００４０】
また、前記第４搬送コンベア１０の搬出端底部の下方には、当該搬出端から落下するごみに向かって空気を噴射するための送風装置３２が配置されている。
【００４１】
前記カレット回収箱３１の前方には、前記送風装置３２からの空気の噴射によって吹き飛ばしたごみ（可燃ごみ）を回収する可燃ごみ受部としてのホッパ３３が隣接して配置されており、該ホッパ３３は前記第５搬送コンベア１１の上方に配置されている。
【００４２】
このように構成されたごみ選別装置９は、アルミ選別機６で選別されたアルミ類以外のびんやカレットなどが第４搬送コンベア１０に搬入され、びんは、第４搬送コンベア１０の傾斜により下り側である一端側に転がり、この一端から下方のびん回収箱３０に回収される。
【００４３】
また、カレットや、これに混入している可燃ごみは第４搬送コンベア１０により上がり側である他端に搬送され、この他端から直下に落下するものの、軽い可燃ごみは送風装置３２からの空気の噴射により前方のホッパ３３に飛ばされてホッパ３３の下部排出口から第５搬送コンベア１１上に搬入され、重いカレットは送風装置３２による空気の噴射の影響を受けずにそのまま下方のカレット回収箱３１に回収される。
【００４４】
このように選別処理することで、びんやカレットなどの不燃ごみに可燃ごみが混入することがなく、これら不燃ごみと可燃ごみとを確実に選別することができる。
【００４５】
図５は、ごみ選別装置９の構成を示している。
【００４６】
ごみ選別装置９は、第４搬送コンベア１０の搬出端側が前記第５搬送コンベア１１の上方に配置されたホッパ４０の上方に配置され、このホッパ４０の途中部にはすり鉢状のごみ受け部材４１が垂直軸回りに水平回転自在に設けられている。
【００４７】
前記ごみ受け部材４１は、底部が前記第５搬送コンベア１１の搬送面に臨んで開口された排出口４１ａに形成されている。
【００４８】
また、ごみ受け部材４１の上方となるホッパ４０の上部には導入路４２を介して送風装置４３が配置されており、送風装置４３から空気を導入路４２を経てごみ受け部材４１の内側傾斜面に噴射するように構成されている。
【００４９】
さらに、ごみ受け部材４１の上端と近接するホッパ４０の側面には、排出口４４が形成されており、該排出口４４がシュート４５を介してびんやカレットを回収するびん・カレット受部としてのびん・カレット回収箱４６に連通されている。
【００５０】
前記ホッパ４０のごみ受け部材４１よりも下部は可燃ごみを受け入れる可燃ごみ受部になされている。
【００５１】
このように構成されたごみ選別装置９は、アルミ選別機６で選別されたアルミ類以外のびんやカレットなどが第４搬送コンベア１０に搬入され、第４搬送コンベア１０の搬出端からごみ受け部材４１の内側傾斜面に投下される。
【００５２】
そして、ごみ受け部材４１に投下されたびんやカレットなどの不燃ごみは、重いためごみ受け部材４１の回転による遠心力が大きく作用され、これによって傾斜面に沿って徐々に上方に移送され、排出口４４からびん・カレット回収箱４６に回収される。
【００５３】
また、びんやカレットに混入していた可燃ごみは、軽いためごみ受け部材４１の回転による遠心力の作用をそれほど受けることなく、送風装置４３からの空気の噴射の作用と相まって、ごみ受け部材４１の底部の排出口４１ａからホッパ４０の下部に落下し、第５搬送コンベア１１上に搬入される。
【００５４】
このように選別処理することで、びんやカレットなどの不燃ごみに可燃ごみが混入することがなく、これら不燃ごみと可燃ごみとを確実に選別することができる。
【００５５】
図６及び図７は、ごみ選別装置の構成を示している。
【００５６】
ごみ選別装置９は、第４搬送コンベア１０の搬出端（他端）側が所定の傾斜角を以て上方に傾斜した状態で配置され、この第４搬送コンベア１０の下り側一端下方にびんを回収するびん受部としてのびん回収箱５０が配設されるとともに、第４搬送コンベア１０の搬出端下方にカレットを回収するカレット受部としてのカレット回収箱５１が配置されている。
【００５７】
また、前記第４搬送コンベア１０の搬送面の上方には、邪魔板５２が図７に示すように、第４搬送コンベア１０の搬送面幅方向に亘って且つその搬送方向に対して所定の傾斜角を以て吊下されている。
【００５８】
この邪魔板５２は、ゴムやプラスチック等の可撓性を有する薄板状に形成されており、その下端が第４搬送装置１０の搬送面に近接配置されている。
【００５９】
そして、邪魔板５２は、第４搬送コンベア１０の搬送面上で搬送されるカレットと可燃ごみとのうち、比重の大きいカレットが可撓性を有する邪魔板５２の下端を強制的に押し曲げて通過可能であるとともに、比重の小さい可燃ごみが邪魔板５２の下端を通過することなく第４搬送コンベア１０の搬送に伴い邪魔板５２に沿って当該第４搬送コンベア１０の搬出側に傾斜して配置された一端側に案内するように構成されている。
【００６０】
この邪魔板５２の一端側が配置された第４搬送コンベア１０の一側下方には、可燃ごみ受部としてのホッパ５３が配置されており、該ホッパ５３の下部排出口が第５搬送コンベア１１上に臨んで配置されている。
【００６１】
このように構成されたごみ選別装置９は、アルミ選別機６で選別されたアルミ類以外のびんやカレットなどが第４搬送コンベア１０に搬入され、びんは、第４搬送コンベア１０の傾斜により下り側の一端側に転がり、この一端から下方のびん回収箱５０に回収される。
【００６２】
また、カレットやこれに混入している可燃ごみは、第４搬送コンベア１０により搬出端側に搬送される際に、可燃ごみが邪魔板５２に案内されて第４搬送コンベア１０の一側方に導かれ、この一側方から下方に配置されたホッパ５３に投下され、第５搬送コンベア１１に搬入される。
【００６３】
そして、カレットは、邪魔板５２の下端を強制的にくぐって搬出端に搬送され、下方のカレット回収箱５１に回収される。
【００６４】
このように選別処理することで、びんやカレットなどの不燃ごみに可燃ごみが混入することがなく、これら不燃ごみと可燃ごみとを確実に選別することができる。
【００６５】
図８及び図９は、請求項３記載のごみ選別装置の構成を示している。
【００６６】
ごみ選別装置９は、第４搬送コンベア１０の搬出端がシュート６０を介して第５搬送コンベア１１に連設されている。
【００６７】
このシュート６０は、その幅方向中央部に図９に示す所定幅の切欠部６１がその長手方向に形成され、該切欠部６１を形成する両側縁の下面に左右一対のゴム板６２（片状部材）が配設されている。
【００６８】
これらゴム板６２は、対峙する一端同士が近接して配置されており、軽い可燃ごみをそのままシュート６０に沿って搬送するとともに、びんやカレットなどの重い不燃ごみをゴム板６２の持つ弾性によりこの間から下方に落下させるように構成されている。
【００６９】
よって、シュート６０の下方には、びんやカレットを回収するびん・カレット受部としてのびん・カレット回収箱６３がホッパ６４を介して設けられている。
【００７０】
また、シュート６０の下端には、可燃ごみ受部としてのホッパ６５が配置されており、ホッパ６５の下部排出口が前記第５搬送コンベア１１の搬送面上に臨んで配置されている。
【００７１】
このように構成されたごみ選別装置９は、アルミ選別機６で選別されたアルミ類以外のびんやカレットなどが第４搬送コンベア１０に搬入され、この第４搬送コンベア１０からシュート６０に投下される。
【００７２】
シュート６０では、びんやカレットなどの重い不燃ごみが、ゴム板６２の弾性によりこのゴム板６２を下方に押し曲げ、これによりゴム板６２間から下方に落下し、ホッパ６４を介してびん・カレット回収箱６３に回収される。
【００７３】
また、可燃ごみは、軽いためゴム板６２に支持され、シュート６０を下方に滑り、ホッパ６５を経て第５搬送コンベア１１に搬入される。
【００７４】
このように選別処理することで、びんやカレットなどの不燃ごみに可燃ごみが混入することがなく、これら不燃ごみと可燃ごみとを確実に選別することができる。
【００７５】
【発明の効果】
以上述べたように、本発明の各ごみ選別装置によれば、びんやカレットなどの不燃ごみに混入した可燃ごみを簡単な構成で、しかも精度良く細選別することができ、ごみ選別処理全体の選別精度の向上を図ることができる。
【図面の簡単な説明】
【図１】  本発明の請求項１又は２記載のごみ選別装置の構成を示す概略の側面図である。
【図２】  上記ごみ選別装置のロッドを示す平面図である。
【図３】  ごみ選別装置を備えた選別処理システム全体の概略構成を示す図である。
【図４】  ごみ選別装置の構成を示す概略の側面図である。
【図５】  ごみ選別装置の構成を示す概略の側面図である。
【図６】  ごみ選別装置の構成を示す概略の側面図である。
【図７】  ごみ選別装置の構成を示す概略の平面図である。
【図８】  本発明の請求項３記載のごみ選別装置の構成を示す概略の側面図である。
【図９】  図８におけるＡ−Ａ断面図である。
【符号の説明】
９  ごみ選別装置
１０  第４搬送コンベア（搬送装置）
１１  第５搬送コンベア
２０  ロッド
２１  スプリング（弾機）
２２  ホッパ
２４  送風装置
２５  びん・カレット回収箱（びん・カレット受部）
６０  シュート
６１  切欠部
６２  ゴム板
６３  びん・カレット回収箱（びん・カレット受部）
６５  ホッパ
【図１】
0003694135.tif 000002
【図２】
0003694135.tif 000003
【図３】
0003694135.tif 000004
【図４】
0003694135.tif 000005
【図５】
0003694135.tif 000006
【図６】
0003694135.tif 000007
【図７】
0003694135.tif 000008
【図８】
0003694135.tif 000009
【図９】
0003694135.tif 000010